(57)【特許請求の範囲】
【請求項１】
テレビジョン放送受信手段と、このテレビジョン放送受信手段により受信したテレビジョン放送の番組を選択する番組選択手段と、前記テレビジョン放送受信手段により受信されたテレビジョン放送を表示する表示手段と、前記テレビジョン放送受信手段により受信したテレビジョン放送を無線データとして送信する手段とを備えた送受信装置と、
前記送受信装置から送信された無線データを受信するデータ受信手段と、このデータ受信手段により受信したデータを外部映像表示手段が表示可能なデータ形式に変換するデータ変換手段と、このデータ変換手段により変換したデータを外部映像表示手段へ出力するデータ出力手段とを備えた受信装置と、
からなることを特徴とする伝送装置。
【請求項２】
テレビジョン放送受信手段と、このテレビジョン放送受信手段により受信したテレビジョン放送の番組を選択する番組選択手段と、前記テレビジョン放送受信手段により受信されたテレビジョン放送を表示する表示手段と、前記テレビジョン放送受信手段により受信したテレビジョン放送をデジタルデータに変換するデータ変換手段と、このデータ変換手段により変換したテレビジョン放送を無線データとして送信する送信手段とを備えた送受信装置と、
前記送受信装置から送信された無線データを受信するデータ受信手段と、このデータ受信手段により受信したデータを外部映像表示手段が表示可能なデータ形式に変換するデータ変換手段と、このデータ変換手段により変換したデータを外部映像表示手段へ出力するデータ出力手段とを備えた受信装置と、
からなることを特徴とする伝送装置。
【請求項３】
テレビジョン放送受信手段と、このテレビジョン放送受信手段により受信したテレビジョン放送の番組を選択する番組選択手段と、前記テレビジョン放送受信手段により受信したテレビジョン放送のデータを加工するデータ加工手段と、このデータ加工手段により加工されたテレビジョン放送を表示する表示手段と、前記テレビジョン放送受信手段により受信したテレビジョン放送をデジタルデータに変換するデータ変換手段と、このデータ変換手段により変換したテレビジョン放送を無線データとして送信する送信手段とを備えた送受信装置と、
前記送受信装置から送信された無線データを受信するデータ受信手段と、このデータ受信手段により受信したデータを外部映像表示手段が表示可能なデータ形式に変換するデータ変換手段と、このデータ変換手段により変換したデータを外部映像表示手段へ出力するデータ出力手段とを備えた受信装置と、
からなることを特徴とする伝送装置。
【請求項４】
テレビジョン放送受信手段と、このテレビジョン放送受信手段により受信したテレビジョン放送の番組を選択する番組選択手段と、前記テレビジョン放送受信手段により受信したテレビジョン放送のデータを加工するデータ加工手段と、このデータ加工手段により加工されたテレビジョン放送を表示する表示手段と、前記データ加工手段により加工されたテレビジョン放送をデジタルデータに変換するデータ変換手段と、このデータ変換手段により変換したテレビジョン放送を無線データとして送信する送信手段とを備えた送受信装置と、
前記送受信装置から送信された無線データを受信するデータ受信手段と、このデータ受信手段により受信したデータを外部映像表示手段が表示可能なデータ形式に変換するデータ変換手段と、このデータ変換手段により変換したデータを外部映像表示手段へ出力するデータ出力手段とを備えた受信装置と、
からなることを特徴とする伝送装置。
【請求項５】
前記テレビジョン放送受信手段により受信した番組中の音声を再生する再生手段を備えたことを特徴とする請求項１〜４いずれか１項に記載の伝送装置。
【発明の詳細な説明】
【０００１】
【発明の属する技術分野】
本発明は、テレビジョン放送の送受信装置と、この送受信装置から送信されたデータを外部映像表示手段へ出力する受信装置とからなる伝送装置に関する。
【０００２】
【従来の技術】
近年、テレビジョン放送においては、従来のアナログによるテレビジョン放送に加えて、デジタルテレビジョン放送が普及しようとしている。放送のデジタル化に伴い、放送を受信，視聴する視聴者が選択することができる番組数も従来に比べて増える。選択可能な番組が増えることによって、視聴者としては、より自分の視聴したい番組を選択することができる。しかし、番組数が増えると自分の視聴したい番組を選択するときに、多数の番組の中から視聴する番組を選択するための煩雑な操作を行う必要がでてくる。
【０００３】
従来のリモコン装置（以下、リモコンと称する）では、リモコンにより選択した番組が果たして自分の視聴したい番組かどうかを、テレビ画面を実際に見て確認する必要がある。この動作により視聴者の目はリモコンから一時的に離れることになり、さらにテレビ画面で確認した番組が視聴者の見たい番組ではない場合、もう一度、リモコンを操作するために、リモコンに視線を移し番組を選択し直さなければならない。番組数が少なければ、番組選択のために画面を確認するという前記のような操作に煩雑さを感じることは少ない。しかし番組数が多くなると、選択した番組を確認するために、リモコンから視線をテレビ画面に移さなければならない回数も増え、これが視聴者に煩雑感を与える原因となる。
【０００４】
特開平５−８９９６２号公報に記載された発明は、リモコンにテレビジョン放送受信機とは別に独立したテレビジョン放送受信機能を備え、リモコンに備えられたテレビジョン放送受信機能により受信した番組のチャンネル番号を記憶させ、さらにリモコンにテレビジョン放送表示機能を持たせ、視聴者が、この表示機能によって表示される番組を視聴し、その番組の自分の見たい場面になったらリモコンに記憶されているチャンネル番号に基づきテレビジョン放送受信機の電源を入れ、チャンネル番号を送信し番組を視聴するようにしたものであり、このことにより、テレビジョン放送受信機の消費する消費電力を抑えると共に、テレビジョン放送受信機の受像管の寿命を延ばし、さらに視聴者の所望する場面を視聴することが可能になるとしている。
【０００５】
しかし、特開平５−８９９６２号公報に記載された発明では、番組数の増加に伴う視聴者の番組選択に費やす手間を減らす方法を示していない。また、テレビジョン放送を視聴するためにリモコン装置を手にとった視聴者は、いちいちテレビジョン放送受信機の電源を切ったり、音量を絞ったりはしないため、この発明では消費電力の削減効果を期待することができない。さらに、リモコンに表示するテレビジョン放送とテレビジョン放送受信機に表示するテレビ番組とは同一のものであり、一度、番組を選択してしまうとリモコンは意味をなさない。
【０００６】
【発明が解決しようとする課題】
テレビジョン放送の番組を視聴者が選択するときに、従来のリモコンでは、視聴者が選択した番組が本当に見たい番組かどうかを視聴者が確認するため、リモコンで番組を指定した後に、テレビジョン放送受信機の表示画面を確認する必要があり、これが視聴者による操作を煩雑なものにしていた。テレビジョン放送の番組数が増えてくると、視聴者は前記操作を頻繁に行う必要があり、さらに煩雑さが増す原因となる。
【０００７】
また、従来のテレビジョン放送受像機は、放送局より送信されるテレビジョン放送を受信し、この受信したテレビジョン放送の映像を変更することなく、そのままテレビジョン放送受像機の表示画面に表示する。さらにテレビジョン放送受信機が持つ機能として、選択された番組のチャンネル番号をテレビジョン放送受信機の表示画面に表示するものがあるが、これはテレビジョン放送受信機の機能に依存しており、テレビジョン放送受信機の表示画面に表示される映像を視聴者が、視聴者の好みにあわせて変更することはできない。
【０００８】
本発明の目的は、前記従来の課題を解決し、テレビジョン放送番組の選択を行う操作の際に、視聴者に与える煩雑さを低減して、視聴者の視聴したい番組を簡単に選択できるようにし、また視聴者が表示画面を任意に設定可能にし、かつ任意の映像表示機器にて映像表示を可能にした伝送装置を提供することにある。
【０００９】
【課題を解決するための手段】
前記目的を達成するため、第１の発明に係る伝送装置は、テレビジョン放送受信手段と、このテレビジョン放送受信手段により受信したテレビジョン放送の番組を選択する番組選択手段と、前記テレビジョン放送受信手段により受信されたテレビジョン放送を表示する表示手段と、前記テレビジョン放送受信手段により受信したテレビジョン放送を無線データとして送信する手段とを備えた送受信装置と、前記送受信装置から送信された無線データを受信するデータ受信手段と、このデータ受信手段により受信したデータを外部映像表示手段が表示可能なデータ形式に変換するデータ変換手段と、このデータ変換手段により変換したデータを外部映像表示手段へ出力するデータ出力手段とを備えた受信装置とからなることを特徴とし、この構成によって、番組選択手段により選択されたテレビジョン放送は表示手段に表示されるため、視聴者は番組選択の際に表示手段に表示されているテレビジョン放送の番組を確認することにより、テレビジョン放送受信機の画面を見ることなく番組を選択することができる。さらに、選択されたテレビジョン放送の番組は無線データとしてテレビジョン放送受信機に送信することが可能であるため、選択した番組がテレビジョン放送受信機にも表示され、視聴者は多数の番組から簡単に所望の番組を選択することができる。
【００１０】
第２の発明に係る伝送装置は、テレビジョン放送受信手段と、このテレビジョン放送受信手段により受信したテレビジョン放送の番組を選択する番組選択手段と、前記テレビジョン放送受信手段により受信されたテレビジョン放送を表示する表示手段と、前記テレビジョン放送受信手段により受信したテレビジョン放送をデジタルデータに変換するデータ変換手段と、このデータ変換手段により変換したテレビジョン放送を無線データとして送信する送信手段とを備えた送受信装置と、前記送受信装置から送信された無線データを受信するデータ受信手段と、このデータ受信手段により受信したデータを外部映像表示手段が表示可能なデータ形式に変換するデータ変換手段と、このデータ変換手段により変換したデータを外部映像表示手段へ出力するデータ出力手段とを備えた受信装置とからなることを特徴とし、この構成によって、第１の発明の作用に加えて、受信したテレビジョン放送をデジタルデータに変換することにより、テレビジョン放送を劣化のないデジタルデータとして伝送することが可能となると共に、テレビジョン放送の効率的な伝送を可能とする。
【００１１】
第３の発明に係る伝送装置は、テレビジョン放送受信手段と、このテレビジョン放送受信手段により受信したテレビジョン放送の番組を選択する番組選択手段と、前記テレビジョン放送受信手段により受信したテレビジョン放送のデータを加工するデータ加工手段と、このデータ加工手段により加工されたテレビジョン放送を表示する表示手段と、前記テレビジョン放送受信手段により受信したテレビジョン放送をデジタルデータに変換するデータ変換手段と、このデータ変換手段により変換したテレビジョン放送を無線データとして送信する送信手段とを備えた送受信装置と、前記送受信装置から送信された無線データを受信するデータ受信手段と、このデータ受信手段により受信したデータを外部映像表示手段が表示可能なデータ形式に変換するデータ変換手段と、このデータ変換手段により変換したデータを外部映像表示手段へ出力するデータ出力手段とを備えた受信装置とからなることを特徴とし、この構成によって、第１の発明の作用に加えて、データを加工することにより、さまざまなカスタマイズ方法が可能となり、ユーザの好みに合わせたテレビジョン放送の表示形態をとることが可能となる。また、テレビジョン放送受信機にはカスタマイズしていない、受信したテレビジョン放送をそのまま表示させることにより、表示手段に表示する映像とテレビジョン放送受信機に表示させる映像とを異なるものにすることが可能となる。
【００１２】
第４の発明に係る伝送装置は、テレビジョン放送受信手段と、このテレビジョン放送受信手段により受信したテレビジョン放送の番組を選択する番組選択手段と、前記テレビジョン放送受信手段により受信したテレビジョン放送のデータを加工するデータ加工手段と、このデータ加工手段により加工されたテレビジョン放送を表示する表示手段と、前記データ加工手段により加工されたテレビジョン放送をデジタルデータに変換するデータ変換手段と、このデータ変換手段により変換したテレビジョン放送を無線データとして送信する送信手段とを備えた送受信装置と、前記送受信装置から送信された無線データを受信するデータ受信手段と、このデータ受信手段により受信したデータを外部映像表示手段が表示可能なデータ形式に変換するデータ変換手段と、このデータ変換手段により変換したデータを外部映像表示手段へ出力するデータ出力手段とを備えた受信装置とからなることを特徴とし、この構成によって、第１の発明の作用に加えて、受信したテレビジョン放送を加工し、映像の表示方法をカスタマイズすることができ、さらに加工したテレビジョン放送をテレビジョン受像機に表示させることが可能となる。
【００１３】
第５の発明に係る伝送装置は、前記第１の発明〜第４の発明における伝送装置において、テレビジョン放送受信手段により受信した番組中の音声を再生する再生手段を備えたことを特徴とし、この構成によって、送信した無線データを受信し、そのデータを表示する外部映像表示手段が音声再生手段をもたない場合においても、当該装置にて音声の再生を行うことにより、テレビジョン放送の視聴が可能となる。さらに、視聴者の手元にある当該装置によって音声の再生を行うことにより、音声の再生装置が視聴者の手元にあるため、外部映像表示手段において音声を再生するよりも音声の再生音量を下げることが可能となり、周囲への騒音も防止することが可能となる。
【００１４】
【発明の実施の形態】
以下、本発明の実施の形態について図面を参照して説明する。
【００１５】
図１は本発明に係る伝送装置の第１実施形態を説明するための送受信装置の構成を示すブロック図であり、１１はテレビジョン放送を受信および伝送装置からの無線データを送信するためのアンテナ、１２はアンテナ１１から受信したテレビジョン放送から所望の番組を取り出すためのＲＦ受信処理部、１３はＲＦ受信処理部１２で受信する番組を制御するためのチャンネル選択部、１４はＲＦ受信処理部１２で取り出したテレビジョン放送番組の音声を再生するための音声出力部、１５はＲＦ受信処理部１２で取り出したテレビジョン放送番組の映像を表示するための映像表示部、１６はＲＦ受信処理部１２で取り出したテレビジョン放送番組の音声データおよび映像データを合成するためのデータ変換部、１７はデータ変換部１６で合成したテレビジョン放送番組の音声データおよび映像データを無線データとしてアンテナ１１から送信できるようにデータを処理するＲＦ送信処理部である。
【００１６】
以上のように構成された第１実施形態の伝送装置における送受信装置の動作を以下説明する。
【００１７】
アンテナ１１により受信したテレビジョン放送はＲＦ受信処理部１２へ入力される。ＲＦ受信処理部１２はチャンネル選択部１３によって指定されるテレビジョン放送番組を、ＲＦ受信処理部１２に入力されているテレビジョン放送から選択し、中間周波信号に変換および増幅すると共に、検波処理によりテレビジョン放送番組の映像信号と音声信号を取り出す。ＲＦ受信処理部１２によって取り出されたテレビジョン放送番組の音声信号は音声出力部１４へ入力され、音声出力部１４は入力された音声信号を再生する。ＲＦ受信処理部１２によって取り出されたテレビジョン放送番組の映像信号は映像表示部１５へ入力され、映像表示部１５は入力された映像信号に基づき、これを表示する。
【００１８】
これまでの動作により、チャンネル選択部１３によって指定されたテレビジョン放送番組は映像表示部１５および音声出力部１４の組み合わせによって視聴することが可能となる。視聴者は映像表示部１５を見ながら、チャンネル選択部１３を操作することにより簡単にテレビジョン放送番組を選択することが可能となる。
【００１９】
次に、ＲＦ受信処理部１２はチャンネル選択部１３によって指定されたテレビジョン放送番組の映像信号および音声信号をデータ変換部１６へ入力する。データ変換部１６はＲＦ受信処理部１２から入力されたテレビジョン放送番組の音声信号をアナログ・デジタル変換し、連続したデジタル音声信号とする。次にデータ変換部１６はＲＦ受信処理部１２から入力された映像信号と前記デジタル音声信号を所定の伝送パルス列に速度変換すると共に、同期信号も含めて多重化合成し、これをＲＦ送信処理部１７へ入力する。ＲＦ送信処理部１７はデータ変換部１６から入力された多重合成信号をデジタル・アナログ変換し、さらに無線周波数帯域の無線データに変換し、これをアンテナ１１から無線データとして送信する。
【００２０】
図２は本発明に係る伝送装置の第２実施形態を説明するための送受信装置の構成を示すブロック図であり、１１はテレビジョン放送を受信および伝送装置からの無線データを送信するためのアンテナ、１２はアンテナ１１から受信したテレビジョン放送から所望の番組を取り出すためのＲＦ受信処理部、１３はＲＦ受信処理部１２で受信する番組を制御するためのチャンネル選択部、１４はＲＦ受信処理部１２で取り出したテレビジョン放送番組の音声を再生するための音声出力部、１８はＲＦ受信処理部１２で取り出したテレビジョン放送番組の映像をテレビジョン放送の視聴者が自分の嗜好に合わせて加工するためのデータ加工部、１５はデータ加工部１８で加工したテレビジョン放送番組の映像を表示するための映像表示部、１６はＲＦ受信処理部１２で取り出したテレビジョン放送番組の音声データおよびデータ加工部１８で加工した映像データを合成するためのデータ変換部、１７はデータ変換部１６で合成したテレビジョン放送番組の音声データおよび映像データを無線データとしてアンテナ１１から送信できるようにデータを処理するＲＦ送信処理部である。
【００２１】
以上のように構成された第２実施形態の伝送装置における送受信装置の動作を以下説明する。
【００２２】
アンテナ１１により受信したテレビジョン放送はＲＦ受信処理部１２へ入力される。ＲＦ受信処理部１２はチャンネル選択部１３によって指定されるテレビジョン放送番組を、ＲＦ受信処理部１２に入力されているテレビジョン放送から選択し、中間周波信号に変換および増幅すると共に、検波処理によりテレビジョン放送番組の映像信号と音声信号を取り出す。ＲＦ受信処理部１２によって取り出されたテレビジョン放送番組の音声信号は音声出力部１４へ入力され、音声出力部１４は入力された音声信号を再生する。ＲＦ受信処理部１２によって取り出されたテレビジョン放送番組の映像信号はデータ加工部１８へ入力され、データ加工部１８は入力された映像信号に、データ加工部１８内に保持するあらかじめ定義されている映像データを重ね合わせ、入力された映像信号を視聴者の好みの任意の映像に加工し、これを映像表示部１５へ入力する。
【００２３】
データ加工部１８に保持されている映像データはチャンネル番号の映像データ，日時あるいは映像信号の表示フォーマットである。映像信号の表示フォーマットはＲＦ受信処理部１２より入力された映像信号が４：３の映像であった場合、これを１６：９の映像信号へ変換するためのフォーマット、あるいは映像信号を白黒に変換するフォーマットなどからなる。
【００２４】
映像表示部１５はデータ加工部１８より入力された映像信号に基づき、加工されたテレビジョン放送番組の映像を表示する。これまでの動作により、チャンネル選択部１３によって指定されたテレビジョン放送番組は視聴者の好みの任意の映像に加工されて映像表示部１５に表示され、さらに音声信号が音声出力部１４から出力され、視聴者はテレビジョン放送を視聴することが可能になると共に、映像表示部１５に表示される画像は視聴者の嗜好する映像とすることができる。
【００２５】
次に、データ加工部１８は加工したテレビジョン放送の映像信号をデータ変換部１６へ入力する。また、ＲＦ受信処理部１２はテレビジョン放送の音声信号をデータ変換部１６へ入力する。データ変換部１６はＲＦ受信処理部１２から入力されたテレビジョン放送の音声信号をアナログ・デジタル変換し、連続したデジタル音声信号とする。次にデータ変換部１６はデータ加工部１８から入力された加工されたテレビジョン放送の映像信号と前記デジタル音声信号を所定の伝送パルス列に速度変換すると共に、同期信号も含めて多重合成し、これをＲＦ送信処理部１７へ入力する。ＲＦ送信処理部１７はデータ変換部１６から入力された多重合成信号をデジタル・アナログ変換し、さらに無線周波数帯域の無線データに変換し、これをアンテナ１１から無線データとして送信する。
【００２６】
また、第２実施形態におけるデータ加工部１８は、ＲＦ受信処理部１２より入力された映像信号を、あらかじめ定義された映像信号あるいは映像フォーマットに基づいて加工するものであるが、データ加工部１８に定義する映像信号あるいは映像フォーマットは再定義可能とし、視聴者はデータ加工部１８に定義する映像信号あるいはフォーマットを任意に変更することが可能としてもよい。このようにすることによって、映像表示部１５に表示する映像のバリエーションが広がる。
【００２７】
また、第２実施形態において、データ変換部１６へ入力する映像信号はデータ加工部１８により加工された映像データとしているが、データ変換部１６へ入力する映像信号をＲＦ受信処理部１２からの映像信号としてもよい。このことにより、テレビジョン放送受信機に表示される映像は放送局から放送されたままの映像が表示されるが、伝送装置側の映像表示部１５には視聴者が加工した映像を表示することができ、視聴者はテレビジョン放送受信機に表示される映像と伝送装置に表示される映像との２つの異なる映像を視聴することが可能となる。
【００２８】
図３は前記送受信装置から送信された無線データを受信可能な受信装置の実施形態を説明するための受信装置の構成を示すブロック図であり、２１は無線データを受信するためのアンテナ、２２はアンテナ２１から受信した無線データを復調処理するＲＦ受信処理部、２３はＲＦ受信処理部２２から入力された復調信号のデータ形式を変換するデータ変換部、２４はデータ変換部２３より入力されたデータを外部の映像表示機器へ出力するデータ出力部である。
【００２９】
以上のように構成された本実施形態の受信装置の動作を以下説明する。
【００３０】
アンテナ２１により受信した無線データはＲＦ受信処理部２２へ入力される。ＲＦ受信処理部２２はアンテナ２１より入力された無線データを中間周波信号に変換および増幅すると共に、検波処理により映像信号と音声信号が多重化された映像・音声多重データを取り出し、データ変換部２３へ入力する。データ変換部２３はＲＦ受信処理部２２より入力された映像・音声多重データをアナログ・デジタル変換し、デジタル信号となった映像・音声多重データに含まれる同期信号に基づいて映像信号および音声信号を分離し、それぞれをデータ出力部２４へ入力する。データ出力部２４は外部映像表示機器（図示せず）に接続されて、データ変換部２３から入力された映像信号と音声信号とのそれぞれの信号を外部映像表示機器が持つ入力機能に基づいて、外部映像表示機器の信号入力部へ入力する。
【００３１】
外部映像表示機器としては、ビデオ信号入力機能を有する映像表示機器、あるいはＲＧＢなどのデジタルデータ信号入力機能を有する映像表示機器などがあり、さらに音声再生機能をも有する外部映像表示機器などを例示することができる。
【００３２】
なお、以上の実施形態の説明において、テレビジョン放送はアナログ放送であることを前提としているが、デジタル放送となっても同様に実施可能である。
【００３３】
【発明の効果】
以上のように本発明に係る伝送装置によれば、送受信装置におけるテレビジョン放送受信機能と受信したテレビジョン放送を選局する機能とにより、選局したテレビジョン放送番組を映像表示部に表示することによって、視聴者はテレビジョン放送の番組を選択するために、逐次、テレビジョン放送受信機の表示画面を見ることなく、当該装置に付随する映像表示部において番組を確認しながら、簡単にテレビジョン放送を選局することができる。
【００３４】
また、送受信装置で受信したテレビジョン放送番組の映像を視聴者の好みに合わせて任意に視聴者自身が加工することができるため、より視聴者のニーズに合った映像を視聴することが可能となる。
【００３５】
さらに、受信装置で受信した無線データを外部映像表示部において表示することが可能なデータ形式に変換し、映像表示部へ出力することができるため、各種映像表示部への無線データの表示が可能となる。
【図面の簡単な説明】
【図１】  本発明に係る伝送装置における送受信装置の第１実施形態の構成を示すブロック図
【図２】  本発明に係る伝送装置における送受信装置の第２実施形態の構成を示すブロック図
【図３】  本発明に係る伝送装置における受信装置の実施形態の構成を示すブロック図
【符号の説明】
１１  アンテナ
１２  ＲＦ受信処理部
１３  チャンネル選択部
１４  音声出力部
１５  映像表示部
１６  データ変換部
１７  ＲＦ送信処理部
１８  データ加工部
２１  アンテナ
２２  ＲＦ受信処理部
２３  データ変換部
２４  データ出力部
【図１】
0003728660.tif 000002
【図２】
0003728660.tif 000003
【図３】
0003728660.tif 000004